(57)【特許請求の範囲】
【請求項１】
複数の対撚線の集合体の外周に、押え巻、遮蔽層および外被を順に備えるツイストペアケーブルであって、
前記押え巻を、ポリプロピレンテープの表面に白色インキを３．６ｇ／ｍ２以上４．５ｇ／ｍ２以下印刷して、１ｃｍ２当たり８０個以上１００個以下の白点を形成してなる、厚さ０．０２ｍｍ以上０．０５ｍｍ以下の白点印刷ポリプロピレンテープの重ね巻きで構成したことを特徴とするツイストペアケーブル。
【請求項２】
前記白点印刷ポリプロピレンテープは、厚さが０．０３ｍｍ以上０．０４ｍｍ以下であることを特徴とする請求項１記載のツイストペアケーブル。
【請求項３】
前記白点印刷ポリプロピレンテープは、引張荷重（縦方向）が８０Ｎ／１５ｍｍ以上、伸び（縦方向）が２０％以下であることを特徴とする請求項１または２記載のツイストペアケーブル。
【請求項４】
ケーブル外径が４．０ｍｍ以上４．５ｍｍ以下であることを特徴とする請求項１乃至３のいずれか１項記載のツイストペアケーブル。
【発明の詳細な説明】
【技術分野】
【０００１】
本発明は、ＬＡＮ（Ｌｏｃａｌ  Ａｒｅａ  Ｎｅｔｗｏｒｋ）ケーブルなどとして使用されるツイストペアケーブルに関する。
【背景技術】
【０００２】
対撚線を複数本集合した集合体の外周に外被を設けた構造のツイストペアケーブル、あるいは、上記集合体の外周に押え巻、遮蔽層および外被を順に設けた構造のツイストペアケーブルが知られている。後者のケーブルは、遮蔽付きツイストペアケーブルとも称され、特にイミュニティ（Ｉｍｍｕｎｉｔｙ：妨害特性）およびＥＭＩ（Ｅｌｅｃｔｒｏ  Ｍａｇｎｅｔｉｃ  Ｉｎｔｅｒｆｅｒｅｎｃｅ：電磁妨害）対策が求められる場合のＬＡＮケーブルとして使用されている。
【０００３】
上記押え巻には、対撚線と遮蔽層との間の距離を確保する観点から、従来、厚さが０．１〜０．２ｍｍ程度のポリエステル不織布やポリエチレンテープなどが使用され、また、遮蔽層には、片面に金属箔をラミネートした片面金属箔ラミネートプラスチックテープなどが使用されている（例えば、特許文献１、２参照。）。
【０００４】
ところで、近時、インターネット需要の増加に伴い、この種のツイストペアケーブルにおいては、配線スペースを有効に利用するため、細径化が強く求められてきている。そして、前者の無遮蔽のケーブルについては、対撚線に細径の導体を用いることにより細径化を図ったケーブルが開発され、既に実用に供されている。
【０００５】
しかしながら、後者の遮蔽付きツイストペアケーブルについては、次のような理由から未だ十分な細径化を実現するまでには至っていない。すなわち、遮蔽付きツイストペアケーブルに無遮蔽ケーブルのような細径導体を適用しても、押え巻や遮蔽層が存在するためにその効果が小さい。さらに、厚さの薄いテープを使用することも考えられるが、巻き付けられたテープ同士が密着し硬くなるため、可撓性が低下する。また、ケーブルを接続する際、テープ同士が密着しているため、押え巻を除去し難いという問題も生ずる。
【先行技術文献】
【特許文献】
【０００６】
【特許文献１】特開２００６−３２１９３号公報
【特許文献２】特開２００６−１７２７８８号公報
【発明の概要】
【発明が解決しようとする課題】
【０００７】
本発明は上記従来の事情に鑑みてなされたもので、細径で、かつ可撓性および押え巻除去性にも優れる遮蔽付きツイストペアケーブルを提供することを目的とする。
【課題を解決するための手段】
【０００８】
本発明の第１の態様のツイストペアケーブルは、複数の対撚線の集合体の外周に、押え巻、遮蔽層および外被を順に備えるツイストペアケーブルであって、
前記押え巻を、ポリプロピレンテープの表面に白色インキを３．６ｇ／ｍ２以上４．５ｇ／ｍ２以下印刷して、１ｃｍ２当たり８０個以上１００個以下の白点を形成してなる、厚さ０．０２ｍｍ以上０．０５ｍｍ以下の白点印刷ポリプロピレンテープの重ね巻きで構成したものである。
【０００９】
本発明の第２の態様は、第１の態様のツイストペアケーブルにおいて、前記白点印刷ポリプロピレンテープが、厚さが０．０３ｍｍ以上０．０４ｍｍ以下であるものである。
【００１２】
本発明の第３の態様は、第１または第２の態様のいずれかの態様のツイストペアケーブルにおいて、前記白点印刷ポリプロピレンテープが、引張荷重（縦方向）が８０Ｎ／１５ｍｍ以上、伸び（縦方向）が２０％以下であるものである。
ここで、引張荷重（縦方向）および伸び（縦方向）は、ＪＩＳ  Ｋ  ７１２７−２に準拠して測定される値である。
【００１３】
本発明の第４の態様は、第１の態様乃至第３の態様のいずれかの態様のツイストペアケーブルにおいて、ケーブル外径が４．０ｍｍ以上４．５ｍｍ以下であるものである。
【発明の効果】
【００１４】
本発明のツイストペアケーブルによれば、従来、実現困難であった遮蔽付きツイストペアケーブルの細径化を図ることができ、しかも良好な可撓性および押え巻除去性を備えることができる。
【図面の簡単な説明】
【００１５】
【図１】本発明のツイストペアケーブルの一実施形態を示す横断面図である。
【図２】本発明のツイストペアケーブルに使用される白点印刷ポリプロピレンテープの一例を概略的に示す平面図である。
【発明を実施するための形態】
【００１６】
以下、本発明の実施の形態について説明する。なお、説明は図面に基づいて行うが、それらの図面は単に図解のために提供されるものであって、本発明はそれらの図面により何ら限定されるものではない。
【００１７】
図１は、本発明の一実施形態に係る遮蔽付きツイストペアケーブルを示す横断面図である。
【００１８】
図１に示すように、本実施形態のツイストペアケーブル１０は、複数の対撚線１を撚り合わせてなる集合体２と、集合体２の外周に順に設けられた押え巻３、遮蔽層４、および塩化ビニル樹脂やポリエチレン樹脂の押出被覆などにより形成される外被５とを備えている。
【００１９】
各対撚線１は、導体６１外周に絶縁体６２を被覆してなる絶縁心線６を２本撚り合わせたもので、導体６１は、軟銅線等の導電性金属からなる線材の１本または複数本から構成される。具体的には、例えば２８ＡＷＧ（直径約０．３２ｍｍ）、または２４ＡＷＧ（直径約０．５１ｍｍ）の、軟銅線からなる単線導体または撚線導体等が使用される。軟銅線は、すず、銀、ニッケル等のめっきが施されていてもよい。また、絶縁体６２は、ポリエチレン樹脂の押出被覆などから構成からされる。
【００２０】
なお、各対撚線１はそれぞれ異なるピッチで撚り合わされている。また、各対撚線１および各対撚線１を構成する２本の絶縁心線６は、例えば、絶縁体６２に着色または着色ラインを付すことにより識別可能とされている。本実施形態では、４対の対撚線１は、それぞれ、絶縁体６２を青色に着色した絶縁線心６と絶縁体６２に２条の青色ラインを付した絶縁線心６の対撚線１と、絶縁体６２を橙色に着色した絶縁線心６と絶縁体６２に２条の橙色ラインを付した絶縁線心６の対撚線１と、絶縁体６２を緑色に着色した絶縁線心６と絶縁体６２に２条の緑色ラインを付した絶縁線心６の対撚線１と、絶縁体６２を茶色に着色した絶縁線心６と絶縁体６２に２条の茶色ラインを付した絶縁線心６の対撚線１で構成することにより識別可能とされている。
【００２１】
押え巻３は、対撚線１の集合体２を押えるとともに、ケーブルの断面形状を円形にする役割を有するもので、ポリプロピレンテープの表面に白色インキを、例えばグラビア印刷などにより印刷して、多数の白色ドット（白点）を形成した白点印刷ポリプロピレンテープが使用される。この白点印刷ポリプロピレンテープの厚さは、０．０２ｍｍ以上０．０５ｍｍ以下、好ましくは０．０３ｍｍ以上０．０４ｍｍ以下である。厚さが０．０２ｍｍ未満では、対撚線１の集合体２を十分に押えることができず、また、ケーブル断面形状を円形にすることができない。また、厚さが０．０５ｍｍを超えると、押え巻３の厚さが大きくなりすぎて、課題とする細径化ができなくなる。
【００２２】
図２に、押え巻３の形成に使用される白点印刷ポリプロピレンテープ２０の一例を示す。図２において、２１は、基材のポリプロピレンテープを示し、２２はその表面に形成された白色ドット（白点）を示す。基材のポリプロピレンテープ２１は、後述する物性を達成するために一軸延伸ポリプロピレンテープであることが好ましい。また、本発明の目的のためには、白色ドット２２の数は、１ｃｍ２当たり８０個以上１２０個以下の範囲であることが好ましく、このような数の白色ドット２２が、白色インキを１ｍ２当たり１ｇ以上５ｇ以下使用して形成されていることが好ましい。
【００２３】
白点印刷ポリプロピレンテープは、ＪＩＳ  Ｋ  ７１２７−２に準拠して測定される引張荷重（縦方向）が８０Ｎ／１５ｍｍ以上、伸び（縦方向）が２０％以下であることが好ましい。また、ＪＩＳ  Ｚ  １７１２に準拠して測定される加熱収縮率（縦方向）が１０％以下であることが好ましい。
【００２４】
押え巻３は、ケーブルの細径化を図り、かつ可撓性を高める観点からは、白点印刷ポリプロピレンテープの重ね巻き（ラップ巻き）により構成されることが好ましい。ラップ幅は、特に限定されるものではなく、例えば１／２程度のラップ幅で重ね巻きされる。
【００２５】
遮蔽層４は、例えば、アルミなどの金属箔をポリエステルテープなどのプラスチックテープの片面にラミネートした片面金属箔ラミネートテープの、例えば１／４以上のラップ幅の重ね巻きにより構成される。片面金属箔ラミネートテープは金属箔を内側にして巻回され、その内周には金属箔に電気的に接するように、直径が０．２ｍｍ乃至０．３ｍｍ程度の錫メッキ軟銅線などからなるドレンワイヤ７がケーブルの長さ方向に沿って挿入される。片面金属箔ラミネートテープは、プラスチックテープの厚さが０．０２ｍｍ以上０．０３ｍｍ以下、金属箔の厚さが０．０１０ｍｍ以上０．０３０ｍｍ以下で、これらのラミネート後の厚さが０．０２０ｍｍ以上０．０５０ｍｍ以下であることが好ましい。
【００２６】
遮蔽層４は、上記のような片面金属箔ラミネートテープに代えて、両面金属箔ラミネートテープ、すなわち、アルミなどの金属箔をポリエステルテープなどのプラスチックテープの両面にラミネートしたテープを用いて構成することもできる。
【００２７】
さらに、片面金属箔ラミネートテープ上に、両面金属箔ラミネートテープを重ね巻するか、または、軟銅線や錫めっき軟銅線などの金属線の編組を設けることにより、遮蔽層４を２層構造とすることもできる。細径化を図る観点からは、上記片面金属箔ラミネートテープ、または両面金属箔ラミネートテープのみで構成することが好ましく、片面金属箔ラミネートテープのみで構成することがより好ましい。
【００２８】
なお、下層を片面金属箔ラミネートテープで構成する２層構造とする場合、片面金属箔ラミネートテープは金属箔を外側にして巻回され、その上に長さ方向に沿ってドレンワイヤを添わせつつ、両面金属箔ラミネートテープ、または金属線編組が設けられる。両面金属箔ラミネートテープは、片面金属箔ラミネートテープの重なり部分を覆うように重ね巻きすることが好ましい。
【００２９】
外被５は、前述したように、例えば、塩化ビニル樹脂やポリエチレン樹脂、ポリエチレン樹脂に水酸化マグネシウムなどの難燃剤を配合した耐燃ポリエチレン樹脂などの押出被覆から構成される。外被５は、前記材料を複数層、積層することにより２層乃至多層構造とすることも可能である。外被５は、厚さが０．３ｍｍ以上０．５ｍｍ以下とすることが好ましい。
【００３０】
このように構成される本実施形態のツイストペアケーブルにおいては、押え巻が厚さ０．０２ｍｍ以上０．０５ｍｍ以下の白点印刷ポリプロピレンテープという、厚さの非常に薄いテープで構成されているので、押え巻の厚さを薄くすることができる。しかも、テープの表面には、白点が印刷されているので、テープの重なり部分でテープ同士が密着して、可撓性を低下させることはなく、また、ケーブル接続時の押え巻の除去性を低下させることもない。したがって、従来、その実現が困難とされた、細径で、かつ可撓性および押え巻除去性にも優れる遮蔽付きツイストペアケーブルが提供される。
【００３１】
以上、本発明の実施形態を説明したが、上記実施形態は、例として提示したものであり、発明の範囲を限定することを意図するものではない。この新規な実施形態は、その他の様々な形態で実施することが可能であり、発明の要旨を逸脱しない範囲で、種々の省略、置き換え、変更を行うことができる。これらの実施形態やその変形例は、発明の範囲や要旨に含まれると共に、特許請求の範囲に記載された発明とその均等の範囲に含まれる。
【実施例】
【００３２】
次に、本発明を実施例によりさらに詳細に説明するが、本発明はこれらの実施例に何ら限定されるものではない。
【００３３】
実施例１〜３
一軸延伸ポリプロピレンテープの表面に白色インキをグラビア印刷して形成した下記に示す３種類の白点印刷ポリプロピレンテープをそれぞれ押え巻材料として用い、図１に示す構造の４対ツイストペアケーブルを製造した。
【００３４】
（ａ）白点印刷ポリプロピレンテープ（白点印刷ＰＰテープＡ）
白色インキ塗布量：４．５ｇ／ｍ２
白点数：８０個／ｃｍ２
テープ厚さ（ＪＩＳ  Ｋ  ７１３０）：０．０４ｍｍ
テープ幅：１５ｍｍ
引張荷重（縦方向）（ＪＩＳ  Ｋ  ７１２７−２）：１１０Ｎ／１５ｍｍ
伸び（縦方向）（ＪＩＳ  Ｋ  ７１２７−２）：１６％
（ｂ）白点印刷ポリプロピレンテープ（白点印刷ＰＰテープＢ）
白色インキ塗布量：３．６ｇ／ｍ２
白点数：８０個／ｃｍ２
テープ厚さ（ＪＩＳ  Ｋ  ７１３０）：０．０４ｍｍ
テープ幅：１５ｍｍ
引張荷重（縦方向）（ＪＩＳ  Ｋ  ７１２７−２）：１１０Ｎ／１５ｍｍ
伸び（縦方向）（ＪＩＳ  Ｋ  ７１２７−２）：１６％
（ｃ）白点印刷ポリプロピレンテープ（白点印刷ＰＰテープＣ）
白色インキ塗布量：４．５ｇ／ｍ２
白点数：１００個／ｃｍ２
テープ厚さ（ＪＩＳ  Ｋ  ７１３０）：０．０３ｍｍ
テープ幅：１５ｍｍ
引張荷重（縦方向）（ＪＩＳ  Ｋ  ７１２７−２）：１００Ｎ／１５ｍｍ
伸び（縦方向）（ＪＩＳ  Ｋ  ７１２７−２）：１５％
【００３５】
まず、外径０．１２７ｍｍの軟銅線を７本、７．６ｍｍピッチで同心右撚りしてなる外径０．３８ｍｍの撚線導体の外周に、高密度ポリエチレンを被覆して外径０．６８ｍｍの絶縁心線を得た。得られた絶縁心線２本を撚り合わせて対撚線とし、同様に作製した３対の対撚線とともに左撚りに約７０ｍｍピッチで撚り合わせた。なお４対の対撚線の撚りピッチは、それぞれ７．３ｍｍ、１０．０ｍｍ、８．３ｍｍ、１１．０ｍｍとした。
【００３６】
次いで、上記集合体の外周に、押え巻として白点印刷ポリプロピレンテープを１／２ラップ幅で重ね巻きし、その上に、直径０．２６ｍｍの錫メッキ軟銅線からなるドレンワイヤをケーブル長さ方向に添わせつつ、幅１２ｍｍのアルミ箔ラミネートポリエステルテープ（Ａｌ：０．０１０ｍｍ／ポリエステル：０．０２５ｍｍ）をアルミ箔を内側に向けて１／３ラップ幅で重ね巻きして遮蔽層を形成した。その後、遮蔽層の外周に、耐燃性ポリエチレンを押出被覆して厚さ０．４ｍｍの外被を設け、外径約４．２ｍｍのツイストペアケーブルを製造した。
【００３７】
得られたツイストペアケーブルの可撓性および押巻き除去性を、下記に示す方法で評価した。
［可撓性］
試料ケーブル１５ｃｍの一端を固定し、他端に３０ｇの荷重を印加した際の撓み量にて評価した。
○：撓み量１０ｃｍ以上
△：撓み量７ｃｍ以上１０ｃｍ未満
×：７ｃｍ未満
［押え巻除去性］
試料ケーブル１ｍから押え巻を除去する際の作業性にて評価した。
○：容易に除去可能
×：除去困難
【００３８】
これらの評価結果を、押え巻に用いた白点印刷ポリプロピレンテープの種類、ケーブル外径などとともに表１に示す。なお、表１には、押え巻の材料として、白点印刷ポリプロピレンテープに代えて、厚さ０．１４ｍｍのポリエステル不織布（比較例１）、厚さ０．２０ｍｍのポリエチレンテープ（比較例２）、または厚さ０．０２５ｍｍのポリエステルテープ（比較例３）を用いた以外は実施例と同様に製造したツイストペアケーブルについて同様に測定し、また評価した結果を、本発明の比較例として併せ示した。
【００３９】
【表１】
0005530501.tif 000002
【００４０】
表１から明らかなように、実施例１〜３のツイストペアケーブルは、細径化が図られているうえに、可撓性および押巻き除去性の評価結果も良好であった。
【符号の説明】
【００４１】
１…対撚線、２…集合体、３…押え巻、４…遮蔽層、５…外被、６…絶縁心線、１０…遮蔽付きツイストペアケーブル、２０…白点印刷ポリプロピレンテープ、２１…ポリプロピレンテープ、２２…白色ドット（白点）、６１…導体、６２…絶縁被覆。
【図１】
0005530501.tif 000003
【図２】
0005530501.tif 000004